(57)【要約】【課題】精度良くサンプルとＸ線ターゲット間の距離を制御すること。【解決手段】開示のカンチレバー２１０は、実施形態の一例において、Ｘ線ターゲット部２１２が埋め込まれる。また、開示のカンチレバー２１０は、実施形態の一例において、Ｘ線ターゲット部２１２がカンチレバー２１０の探針２１１に埋め込まれる。また、開示のカンチレバーは、実施形態の一例において、カンチレバー２１０の探針２１１がＳｉより軽い元素を含む材料にて形成される。また、開示のカンチレバー２１０は、実施形態の一例において、Ｘ線ターゲット部２１２からＸ線が照射される照射線上を除く部分に導電層２１３を有する。【選択図】図１
2014215038.tif 000002
【特許請求の範囲】
【請求項１】
Ｘ線ターゲット部が埋め込まれたカンチレバー。
【請求項２】
前記Ｘ線ターゲット部が前記カンチレバーの探針に埋め込まれることを特徴とする請求項１に記載のカンチレバー。
【請求項３】
前記カンチレバーの探針がＳｉより軽い元素を含む材料にて形成されることを特徴とする請求項１又は２に記載のカンチレバー。
【請求項４】
前記カンチレバーは、前記Ｘ線ターゲット部からＸ線が照射される照射線上を除く部分に導電層を有することを特徴とするカンチレバー。
【請求項５】
カンチレバーに有底状の穴を形成する工程と、
前記カンチレバーに設けられた前記穴に金属を堆積させることでＸ線ターゲット部を形成する工程と
を含むことを特徴とする製造方法。
【請求項６】
試料が載置される試料台が設けられるチャンバと、
前記試料の情報をカンチレバーを用いて取得する第一の検査部と、
前記試料の情報をＸ線を用いて取得する二の検査部と
を有することを特徴とする検査装置。
【請求項７】
前記カンチレバーは、前記試料表面の凹凸または電気信号を検査することを特徴とする請求項６に記載の検査装置。
【請求項８】
試料が載置される試料台が設けられる真空チャンバと、
前記真空チャンバ内に設けられたカンチレバーを有し、前記試料台に載置された試料の表面の情報を前記カンチレバーを用いて取得する原子間力顕微鏡部と、
電子ビームを放射する放射部と、Ｘ線検出部とを有し、前記試料台に載置された試料からのＸ線を前記Ｘ線検出部が検出するＸ線検査装置部と
を有することを特徴とする検査装置。
【請求項９】
前記原子間力顕微鏡部の前記カンチレバーは、Ｘ線ターゲット部が埋め込まれており、
前記Ｘ線検査装置部では、前記放射部が、電子ビームを前記カンチレバーに埋め込まれた前記Ｘ線ターゲット部に放射することでＸ線を前記試料に照射し、前記Ｘ線検出部が、前記試料を透過した後のＸ線を検出することを特徴とする請求項８に記載の検査装置。
【請求項１０】
試料が載置される試料台が設けられる真空チャンバと、前記真空チャンバ内に設けられたカンチレバーを有して前記試料台に載置された試料の表面の情報を前記カンチレバーを用いて取得する原子間力顕微鏡部と、電子ビームを放射する放射部と、Ｘ線検出部とを有し、前記試料台に載置された試料からのＸ線を前記Ｘ線検出部が検出するＸ線検査装置部とを有することを特徴とする検査装置の制御方法であって、
前記原子間力顕微鏡部は、前記試料台に載置された試料の表面の情報を前記カンチレバーを用いて取得し、
前記Ｘ線検査装置部は、前記原子間力顕微鏡部によって前記カンチレバーを用いて前記試料の表面の情報が取得された後、前記試料の表面の情報が取得された状態において、前記試料台に載置された試料からのＸ線を前記Ｘ線検出部が検出する
ことを特徴とする検査方法。
【請求項１１】
試料が載置される試料台が設けられる真空チャンバと、前記真空チャンバ内に設けられたカンチレバーを有して前記試料台に載置された試料の表面の情報を前記カンチレバーを用いて取得する原子間力顕微鏡部と、電子ビームを放射する放射部とＸ線検出部と、前記試料台に載置された試料からのＸ線を前記Ｘ線検出部が検出するＸ線検査装置部とを有することを特徴とする検査装置の制御方法であって、
前記Ｘ線検査装置部は、前記試料台に載置された試料からのＸ線を前記Ｘ線検出部が検出し、
前記原子間力顕微鏡部は、前記Ｘ線検査装置部によってＸ線が検出された後、Ｘ線が検出された状態において、前記試料台に載置された試料の表面の情報を前記カンチレバーを用いて取得する
ことを特徴とする検査方法。
【発明の詳細な説明】
【技術分野】
【０００１】
本発明の種々の側面及び実施形態は、カンチレバー、製造方法、検査装置及び検査方法に関するものである。
【背景技術】
【０００２】
Ｘ線発生装置は、Ｘ線非破壊検査など様々な分野で用いられている。Ｘ線発生装置は、電子ビームを放出する電子銃と、電子銃から放出された電子ビームが照射されるＸ線発生用ターゲットとを備える。Ｘ線発生装置は、電子銃から放出された電子ビームをＸ線発生用ターゲットに衝突させることで、Ｘ線を放出する。ここで、Ｘ線発生装置による拡大倍率は、例えば、試料に照射された後のＸ線を測定する位置を遠くにすることなどによって向上する。
【先行技術文献】
【特許文献】
【０００３】
【特許文献１】特開２０１１−４３４５８号公報
【発明の概要】
【発明が解決しようとする課題】
【０００４】
しかしながら、上述した従来技術では、Ｘ線発生装置による拡大倍率を簡単に拡大できないという問題がある。例えば、試料に照射された後のＸ線を測定する位置を遠くにしようとすると、装置の構造が大きくなってしまう。
【課題を解決するための手段】
【０００５】
開示するカンチレバーは、１つの実施態様において、Ｘ線ターゲット部が埋め込まれたカンチレバーである。
【発明の効果】
【０００６】
開示するカンチレバーの１つの態様によれば、精度良くサンプルとＸ線ターゲット間の距離を制御できるという効果を奏する。
【図面の簡単な説明】
【０００７】
【図１】図１は、第１の実施形態に係るカンチレバーの一例である。
【図２】図２は、第１の実施形態に係るカンチレバーを探針側から見た図である。
【図３】図３は、第１の実施形態に係るカンチレバーのうち探針が設けられた箇所を上部から見た図である。
【図４】図４は、第１の実施形態に係るカンチレバーのうち探針のＸＺ平面の断面図の一例を示す。
【図５】図５は、第１の実施形態に係るＸ線発生用ターゲットの製造方法の一例を説明するためのフローチャートである。
【図６】図６は、第１の実施形態に係るＸ線発生用ターゲットの製造方法の一例を説明するための図である。
【図７】図７は、第１の実施形態における検査装置の構成の一例を示す図である。
【図８】図８は、第１の実施形態における処理の流れの一例を示すフローチャートである。
【図９】図９は、第２の実施形態における検査装置の制御方法の一例について説明するためのフローチャートである。
【図１０】図１０は、第２の実施形態におけるＸ線ターゲット部の一例について示す図である。
【図１１】図１１は、第２の実施形態における導電層の一例について示す図である。
【図１２】図１２は、Ｘ線走査プローブとして用いるカンチレバーの一例を示す図である。
【発明を実施するための形態】
【０００８】
以下に、開示するカンチレバー、製造方法、検査装置及び検査方法の実施形態について、図面に基づいて詳細に説明する。なお、本実施形態により開示する発明が限定されるものではない。各実施形態は、処理内容を矛盾させない範囲で適宜組み合わせることが可能である。
【０００９】
（第１の実施形態）
第１の実施形態におけるカンチレバーは、実施形態の一例において、Ｘ線ターゲット部が埋め込まれる。また、例えば、第１の実施形態におけるカンチレバーは、Ｘ線ターゲット部がカンチレバーの探針に埋め込まれる。また、例えば、第１の実施形態におけるカンチレバーは、カンチレバーの探針がＳｉより軽い元素を含む材料にて形成される。
【００１０】
また、第１の実施形態における製造方法は、実施形態の一例において、カンチレバーに有底状の穴を形成する工程と、カンチレバーに設けられた穴に金属を堆積させることでＸ線ターゲット部を形成する工程とを含む。
【００１１】
また、第１の実施形態における検査装置は、実施形態の一例において、試料が載置される試料台が設けられる真空チャンバを有する。また、第１の実施形態における検査装置は、実施形態の一例において、真空チャンバ内に設けられたカンチレバーを有し、試料台に載置された試料の表面の情報をカンチレバーを用いて取得する原子間力顕微鏡部を有する。また、第１の実施形態における検査装置は、実施形態の一例において、電子ビームを放出する電子銃と、Ｘ線ターゲット部と、Ｘ線検出部とを備えたＸ線検査装置部を有する。
【００１２】
また、第１の実施形態における検査装置は、実施形態の一例において、原子間力顕微鏡部のカンチレバーは、Ｘ線ターゲット部が埋め込まれており、Ｘ線検査装置部では、電子銃からの電子ビームをカンチレバーに埋め込まれたＸ線ターゲット部に照射することで放出されたＸ線を試料に照射し、Ｘ線検出部が、試料を透過した後のＸ線を検出する。
【００１３】
また、第１の実施形態における検査装置は、試料が載置される試料台が設けられるチャンバと、試料の情報をカンチレバーを用いて取得する第一の検査部と、試料の情報をＸ線を用いて取得する二の検査部と、を有する。また、カンチレバーは、例えば、試料表面の凹凸または電気信号を検査する。
【００１４】
また、第１の実施形態における検査方法は、実施形態の一例において、試料が載置される試料台が設けられる真空チャンバと、真空チャンバ内に設けられたカンチレバーを有して試料台に載置された試料の表面の情報をカンチレバーを用いて取得する原子間力顕微鏡部と、電子ビームを放出する電子銃とＸ線ターゲット部とＸ線検出部とを備えたＸ線検査装置部とを有することを特徴とする検査装置の制御方法である。また、第１の実施形態における検査方法は、実施形態の一例において、原子間力顕微鏡部は、試料台に載置された試料の表面の情報をカンチレバーを用いて取得する。そして、Ｘ線検査装置部は、原子間力顕微鏡部によってカンチレバーを用いて試料の表面の情報が取得された後、試料の表面の情報が取得された状態において、電子銃から電子ビームを放出して試料台に載置された試料からのＸ線をＸ線検出部が検出する。
【００１５】
（第１の実施形態に係るカンチレバー）
図１及び図２を用いて、第１の実施形態に係るカンチレバーの全体像の一例について説明する。図１は、第１の実施形態に係るカンチレバーの一例を示す図である。言い換えると、図１は、第１の実施形態に係るカンチレバーをＹ軸方向に見た図である。図２は、第１の実施形態に係るカンチレバーを探針側から見た図である。図１及び図２に示すように、カンチレバー２１０は、Ｘ線ターゲット部２１２が埋め込まれる。図１に示す例では、Ｘ線ターゲット部２１２は、カンチレバー２１０の探針２１１に埋め込まれる。なお、図２では、Ｘ線ターゲット部２１２の埋め込まれている箇所に対応する箇所を点線で示した。
【００１６】
図３は、第１の実施形態に係るカンチレバーのうち探針が設けられた箇所を上部から見た図である。言い換えると、図３は、Ｚ軸方向に見た場合における第１の実施形態に係るカンチレバーの探針が設けられた箇所の一例を示す。図４は、第１の実施形態に係るカンチレバーのうち探針が設けられた箇所の断面構成の一例を示す図である。言い換えると、図４は、第１の実施形態に係るカンチレバーのうち探針のＸＺ平面の断面図の一例を示す。図３に示す例では、Ｚ軸方向に見た場合に、カンチレバー２１０が、探針２１１が設けられた箇所に、Ｘ線ターゲット部２１２が設けられた箇所を頂点として形状が四角錐となる凹部を有する場合を例に示したが、これに限定されるものではなく、凹部を有さなくても良く、凸部の形状も任意であって良い。ただし、凹部を設ける場合、Ｘ線ターゲット部２１２が設けられた箇所を頂点とする形状とすることで、カンチレバー２１０に電子ビームを放出する際、位置決めを容易とすることが可能となる。
【００１７】
図３及び図４に示す例では、探針２１１は、後述するカンチレバー２１０が用いられる検査装置の試料台１１０側に面する第１の面２１１ａと、後述する検査装置の電子ビームを放出する電子銃３１０側に面する第２の面２１１ｂとを有する。ここで、図３及び図４に示す例では、探針２１１は、先端部に有底状の穴が第２の面２１１ｂ側に形成され、先端部の有底状の穴にＸ線ターゲット部２１２が埋め込まれる。
【００１８】
なお、探針２１１に設けられる有底状の穴の形状は、例えば、円柱体形状や角柱体形状など任意の形状であっても良い。また、有底状の穴の径は、例えば、１００ｎｍ程度に設定され、深さが、例えば、１μｍ程度に設定される。このように、探針２１１に設けられる有底状の穴は、径が小さく形成されるとともに、穴のアスペクト比が大きく形成される。
【００１９】
また、導電層２１３は、Ｘ線ターゲット部２１２からＸ線が照射される照射線上を除く部分に設けられる。言い換えると、Ｘ線ターゲット部２１２と、後述の試料台１１０に置かれる試料とを結ぶ線上を除く部分の一部又は全てに設けられる。図１、図３及び図４に示す例では、探針２１１は、導電層２１３が第２の面２１１ｂに設けられる。
【００２０】
導電層２１３は、例えば、チタンやクロム、表層にイオンドーブ層を形成したものなどの導電体を用いて第２の面２１１ｂに形成される。導電層２１３の厚さは、例えば、５０ｎｍ程度であるが、これに限定されるものではなく、任意の値であって良い。また、導電層２１３は、カンチレバー２１０が導電性を有する材料で形成された場合には、設けなくても良い。
【００２１】
ここで、カンチレバー２１０の探針２１１は、好ましくは、熱拡散性が高く、Ｘ線を吸収しない軽い元素であればあるほど好ましく、放熱性が高ければ高いほど好ましい。放熱性が高く材料を用いることで、Ｘ線発生用時にでる熱を効率良く拡散することが可能となり、大きな電流をかけることが可能となる。また、Ｘ線を吸収しない軽い元素を用いることで、Ｘ線ターゲット部２１２にて発生したＸ線を効率良くステージに向けて放出することが可能となる。
【００２２】
カンチレバーの探針２１１は、例えば、Ｓｉより軽い元素を含む材料にて形成される。より詳細な一例をあげて説明すると、カンチレバーの探針２１１を形成する材料は、ダイアモンドや、不純物（例えば、ボロン等）がドープされたダイアモンドライクカーボン、セラミック（例えば、ボロンナイトライド、シリコンナイトライド、アルミニウムナイトライド、アルミナ、酸化シリコン）などである。カンチレバーの探針２１１を形成する材料は、より好ましくは、ダイヤモンドである。なお、カンチレバー２１０のうち探針２１１以外の部分については、探針２１１と同一の材料を用いて形成しても良く、別の材料を用いて形成しても良い。
【００２３】
Ｘ線ターゲット部２１２は、例えば、探針２１１の先端部に形成される有底状の穴に形成される。Ｘ線ターゲット部２１２を形成する金属は、例えば、銅、モリブデン、タングステン、金、白金等である。
【００２４】
Ｘ線ターゲット部２１２は、例えば、探針２１１に形成される有底状の穴に金属を堆積することで形成される。この結果、Ｘ線ターゲット部２１２は、全体が穴の底面と側壁面とに密着している。
【００２５】
Ｘ線ターゲット部２１２は、探針２１１に形成される有底状の穴の内側空間の形状に対応して形成される。Ｘ線ターゲット部２１２の円柱形状の軸方向の長さは、例えば、１μｍ程度となる。Ｘ線ターゲット部２１２の円柱形状の径方向の長さは、例えば、１００ｎｍ程度となる。
【００２６】
（製造方法の流れの一例）
図５は、第１の実施形態に係るＸ線発生用ターゲットの製造方法の一例を説明するためのフローチャートである。図６は、第１の実施形態に係るＸ線発生用ターゲットの製造方法の一例を説明するための図である。以下では、集束イオンビーム（Focused  Ion  Beam：ＦＩＢ）加工装置を用いることでＸ線発生用ターゲットを製造する場合を例に説明するが、これに限定されるものではない。
【００２７】
図５に示すように、ＦＩＢ装置の載置台の上にカンチレバー２１０を配置する（ステップＳ１０１）。なお、この際、カンチレバー２１０の探針２１１のみを配置しても良い。そして、ＦＩＢ装置は、カンチレバーに有底状の穴を形成する（ステップＳ１０２）。例えば、ＦＩＢ装置は、カンチレバー２１０の探針２１１に穴を形成する。具体的には、ＦＩＢ装置は、カンチレバー２１０の探針２１１に有底状の穴を形成する。例えば、ＦＩＢ装置は、Ｇａ＋のようなイオンビームをカンチレバー２１０の探針２１１の先端部に照射することで、第２の面２１１ｂ側からスパッタし、図６の（ａ）のように有底状の穴を形成する。例えば、ＦＩＢ装置は、カンチレバー２１０の探針２１１の先端部に、径が１００ｎｍであって深さが６００ｎｍとなる穴を形成する。ただし、これに限定されるものではなく、穴の径を１００ｎｍより小さくしても良く、深さを６００ｎｍより深くしても良い。
【００２８】
ここで、イオンビームによってカンチレバー２１０の探針２１１の先端部をスパッタして形成された穴は、それぞれ、底面に向かうにつれて径が小さくなり、側壁面がテーパー状に形成されることがある。図６の（ａ）に示す例では、記載の便宜上、側壁面が底面から垂直に形成される場合を例に示した。
【００２９】
そして、Ｘ線ターゲット部２１２を形成する（ステップＳ１０３）。つまり、図６の（ｂ）に示すように、カンチレバー２１０に設けられた穴に金属を堆積させることで、Ｘ線ターゲット部２１２を形成する。ここで、穴に直接金属を堆積させる。この結果、Ｘ線ターゲット部２１２と穴の側面や底面とが密着する。
【００３０】
例えば、ＦＩＢ加工装置を用いて、金属原子を含むガス雰囲気中で収束イオンビームを穴に照射することで金属を堆積させる。ＦＩＢ加工装置では、収束イオンビームの照射箇所に材料ガスを吹き付けることで、ＦＩＢ励起化学気相析出により材料を堆積させる。例えば、材料ガスとして、タングステンヘキサカルボニル（Tungsten  Hexacarbonyl：Ｗ（ＣＯ）６）を用いることで、タングステンを堆積させることができる。また、例えば、材料ガスとして、トリメチル（メチルシクロペンタジエニル）白金（Trimethyl(Methylcyclopentadienyl)Platinum）を用いることで、白金を堆積させることができる。また、例えば、材料ガスとして、ジメチルゴールドヘキサフルオロアセチルアセトネート（DimethylGold  Hexafluoroacetylacetonate：Ｃ７Ｈ７Ｆ６Ｏ２Ａｕ）を用いることで、金を堆積させることができる。
【００３１】
そして、導電層２１３を形成する（ステップＳ１０４）。導電層２１３は、探針２１１の第２の面２１１ｂに、穴に形成されたＸ線ターゲット部２１２を覆うように形成される。導電層２１３は、例えば、既知の成膜装置を用いて形成される。より詳細な一例をあげて説明すると、導電層２１３は、マイクロ波プラズマＣＶＤ装置を用い、マイクロ波プラズマＣＶＤ法により、ボロンをドーピングしながらダイアモンド粒子を生成及び成長させることで形成される。また、導電層２１３、例えば、既知のＰＶＤ（Physical Vapor Deposition）用いて形成される。より詳細な一例をあげて説明すると、導電層２１３は、ＰＶＤ装置を用いて導電性の金属膜を蒸着させることで形成される。導電性の金属膜は、例えば、チタンやクロムなどの金属で形成され、厚みは、５０ｎｍである。ただし、これに限定されるものではなく、導電性の金属膜を形成する材料は、チタンやクロム以外の材料であっても良い。膜厚は、Ｘ線ターゲット部２１２の厚さ（深さ）の１／１０以下であることが好ましい。また、膜厚は、厚すぎると試料側へのＸ線放出が抑制されるため、５０ｎｍ、および５０ｎｍより薄いことが好ましい。膜厚が５０ｎｍより厚い場所と膜厚が５０ｎｍ、および５０ｎｍより薄い場所を設けてもよい。また、膜厚は、膜材料や発生させるＸ線のエネルギーに応じて変更しても良い。この結果、図６の（ｃ）に示すように、探針２１１の第２の面２１１ｂに導電層２１３が形成される。
【００３２】
なお、図５及び図６を用いて説明した製造方法の処理手順は、上記の順番に限定されるものではなく、処理内容を矛盾させない範囲で適宜変更しても良い。例えば、上記のステップＳ１０４を省略しても良く、ステップＳ１０４をステップＳ１０２の前に行っても良い。
【００３３】
（検査装置）
第１の実施形態における検査装置は、試料が載置される試料台が設けられる真空チャンバを有する。また、第１の実施形態における検査装置は、真空チャンバ内に設けられたカンチレバーを有し、試料台に載置された試料の表面の情報をカンチレバーを用いて取得する原子間力顕微鏡部を有する。また、第１の実施形態における検査装置は、電子ビームを放出する電子銃とＸ線ターゲット部とＸ線検出部とを備えたＸ線検査装置部を有する。
【００３４】
また、第１の実施形態における検査装置では、原子間力顕微鏡部のカンチレバーは、Ｘ線ターゲット部が埋め込まれている。また、第１の実施形態における検査装置では、Ｘ線検査装置部では、電子銃からの電子ビームをカンチレバーに埋め込まれたＸ線ターゲット部に照射することで放出されたＸ線を試料に照射し、Ｘ線検出部が、資料を透過した後のＸ線を検出する。
【００３５】
図７は、第１の実施形態における検査装置の構成の一例を示す図である。図７に示す例では、検査装置１０は、真空チャンバ１００と、原子間力顕微鏡部（ＡＦＭ、Atomic  Force  Microscope）２００と、Ｘ線検査装置部３００とを有する。なお、一実施例では、Ｘ線検査装置部３００は、走査電子顕微鏡（ＳＥＭ、Scanning  Electron  Microscope）の機能が備えられていてもよい。
【００３６】
図７に示す例では、検査装置１０は、Ｘ線検査装置部３００による測定対象となる試料が載置される試料台１１０が真空チャンバ１００の内部に設けられ、真空チャンバ１００の内部に、カンチレバー２１０を有する原子間力顕微鏡部２００が設けられる。なお、以下では、原子間力顕微鏡部２００及びＸ線検査装置部３００についてそれぞれ説明するが、それぞれ、公知の原子間力顕微鏡及び走査電子顕微鏡と同様の点については、適宜説明を省略したり、説明を簡潔にしたりする。
【００３７】
試料台１１０は、真空チャンバ１００の内部に設けられ、Ｘ線検査装置部３００及び原子間力顕微鏡部２００による測定対象となる試料が載置される。例えば、電子顕微鏡筒内では、コンパクトに動作させることができるAFMモジュールや、コンパクトな光てこ方式の走査モジュールを用いるのが良い。また、試料台１１０は、Ｘ線を透過する材料で形成された透過型のステージであったり、Ｘ線ターゲット部２１２から発生して後述のＸ線検出部３３０によって検出されるＸ線を通過する穴を有する。例えば、XYθ駆動が可能なピエゾステージを用いるのが良い。なお、Ｘ線検出部３３０は、例えば、Ｘ線イメージインテンシファイア（Ｘ線I.I.）やＸ線ＣＣＤ（Charge  Coupled  Device）カメラなどである。好ましくは、ＣｓＩ（ヨウ化セシウム）とＣＣＤとを用いたＸ線カメラや、ＣＭＯＳ（Complementary  Metal  Oxide  Semiconductor）カメラ、Ｘ線を検出するフラットパネルなどである。
【００３８】
原子間力顕微鏡部２００は、真空チャンバ１００内に設けられたカンチレバー２１０を有し、試料台１１０に載置された試料の表面の情報をカンチレバー２１０を用いて取得する。原子間力顕微鏡部２００の各部は、第１の実施形態におけるカンチレバー２１０を用いる点を除いて、公知の原子間力顕微鏡を用いて良い。
【００３９】
原子間力顕微鏡部２００では、カンチレバー２１０の探針２１１と試料台１１０に載置された試料との間に働く原子間力をカンチレバー２１０のたわみとして検出する。具体的には、原子間力顕微鏡部２００では、カンチレバー２１０のたわみが一定になるように探針２１１と試料との距離を制御しながら試料を水平面において走査することで、試料の立体形状を取得する。
【００４０】
Ｘ線検査装置部３００は、電子ビームを放出する電子銃３１０とＸ線ターゲット部２１２とＸ線検出部３３０とを有し、電子銃３１０からＸ線ターゲット部２１２に電子ビームを照射することでＸ線を放出し、試料台１１０に載置された試料からのＸ線をＸ線検出部３３０が検出する。また、図７に示す例では、Ｘ線検査装置部３００は、電子ビームの照射によって試料またはＸ線ターゲット部から発生する２次電子を検出する検出器３２０を更に有する。
【００４１】
ここで、電子銃３１０は、例えば、電子のエネルギーをそろえたＴＦＥ（Thermal  Field  Emission）を電子源とする。ＴＦＥの採用により電子ビーム径を絞ることが容易となる。
【００４２】
Ｘ線検査装置部３００では、電子銃３１０から電子ビームが放出され、図７には示していないフォーカスレンズで電子ビームが細く絞られ、対物レンズで焦点が試料の表面に合わされた上で、試料上を電子ビームで走査する。この際、Ｘ線検出部３３０は、電子ビームが照射されることで試料またはＸ線ターゲット部から発生した２次電子を検出する。その後、Ｘ線検出部３３０により検出された２次電子を信号処理することで、電子線像が得られる。
【００４３】
ここで、Ｘ線検査装置部３００では、カンチレバー２１０が試料上にない状態において電子ビームで走査することで、試料の電子線像を取得する。また、Ｘ線検査装置部３００では、カンチレバー２１０が試料上にある状態において、電子ビームで走査することで、カンチレバー２１０に設けられたＸ線ターゲット部２１２の位置を識別する。
【００４４】
また、Ｘ線検査装置部３００では、電子銃３１０からの電子ビームをカンチレバー２１０に埋め込まれたＸ線ターゲット部２１２に照射することで放出されるＸ線を試料に照射し、Ｘ線検出部３３０が、試料を透過した後のＸ線を検出する。言い換えると、Ｘ線検査装置部３００は、カンチレバー２１０に設けられたＸ線ターゲット部２１２から放出されるＸ線を用いて、カンチレバー２１０の探針２１１が位置する部分における試料のＸ線画像を取得する。
【００４５】
このように、図７に示す例では、Ｘ線検査装置部３００は、公知の走査電子顕微鏡に加えて、Ｘ線を検出するＸ線検出部３３０を有する。その上で、図７に示すＸ線検査装置部３００は、原子間力顕微鏡部２００のカンチレバー２１０に埋め込まれたＸ線ターゲット部２１２に電子ビームを照射することで、カンチレバー２１０の探針２１１が位置する部分における試料のＸ線画像を取得する。すなわち、例えば、探針２１１を試料の表面でスキャンさせることで得られた凹凸像から試料のパターンを計測する。その上で、観察したいポイントでカンチレバー２１０を止め、Ｘ線検査装置部３００からＸ線ターゲット部２１２に電子ビームを照射して透過ステージとなる試料台１１０を介して下部のＸ線カメラで撮像する。このように、カンチレバー２１０で見たいポイントに接触あるいは近接した状態においてＸ線画像を取得することで、高倍率を実現可能となる。
【００４６】
（検査方法）
図８を用いて、第１の実施形態における検査装置１０の制御方法の一例について説明する。具体的には、試料が載置される試料台１１０が設けられる真空チャンバ１００と、真空チャンバ１００内に設けられたカンチレバー２１０を有して試料台１１０に載置された試料の表面の情報をカンチレバー２１０を用いて取得する原子間力顕微鏡部２００と、電子ビームを放出する電子銃とＸ線検出部とを有して電子銃からＸ線ターゲット部に電子ビームを照射してＸ線を放出させ試料台に載置された試料からのＸ線をＸ線検出部が検出するＸ線検査装置部３００とを有する検査装置の制御方法について説明する。
【００４７】
図８は、第１の実施形態における検査装置の制御方法の一例について説明するためのフローチャートである。図８に示すように、測定タイミングとなると（ステップＳ２０１）、原子間力顕微鏡部２００は、試料台１１０に載置された試料の表面の情報をカンチレバー２１０を用いて取得する（ステップＳ２０２）。例えば、原子間力顕微鏡部２００では、測定対象となる位置において、カンチレバー２１０の探針２１１と試料台１１０に載置された試料との間に働く原子間力をカンチレバー２１０のたわみとして検出する。
【００４８】
そして、Ｘ線検査装置部３００は、原子間力顕微鏡部２００によってカンチレバー２１０を用いて試料の表面の情報が取得された後、試料の表面の情報が取得された状態において、電子銃３１０から電子ビームを照射して試料台１１０に載置された試料からのＸ線をＸ線検出部３３０が検出する（ステップＳ２０３）。例えば、検査装置１０では、原子間力顕微鏡部２００によってカンチレバー２１０を用いて試料の表面の情報が取得されると、原子間力顕微鏡部２００による測定を中断し、カンチレバー２１０の位置を動かすことなく、Ｘ線検査装置部３００が、カンチレバー２１０に埋め込まれたＸ線ターゲット部２１２に電子ビームを照射することで、カンチレバー２１０の探針２１１が位置する部分における試料のＸ線画像を取得する。すなわち、原子間力顕微鏡部２００により表面の状態が測定された位置におけるＸ線画像を取得する。
【００４９】
なお、上記の処理手順は、上記の順番に限定されるものではなく、処理内容を矛盾させない範囲で適宜変更しても良い。例えば、原子間力顕微鏡部２００により表面の状態が測定している間に、利用者によりＸ線画像を取得する旨の指示を受け付けると、原子間力顕微鏡部２００による測定を中断し、カンチレバー２１０を動かすことなく、その位置におけるＸ線画像を取得しても良い。
【００５０】
（第１の実施形態による効果）
上述したように、第１の実施形態によれば、カンチレバー２１０には、Ｘ線ターゲット部２１２が埋め込まれている。この結果、試料とＸ線発生源との距離を縮めることが可能となる。
【００５１】
また、Ｘ線の倍率は、Ｘ線源と試料とＸ線カメラとの幾何学的位置によって決定される。ここで、Ｘ線源と試料との位置を縮められない場合には、カメラを大幅に遠くしなければ高倍率は得られない。上述した第１の実施形態によれば、試料とＸ線発生源との距離を縮めることが可能となる結果、Ｘ線カメラの位置を遠くしなくても、高倍率を得ることが可能となり、Ｘ線の倍率を向上するとともに、検査装置１０の小型化を実現可能となる。また、例えば、Ｘ線ターゲット部２１２を埋め込んだカンチレバー２１０を試料に接触又は近接制御させた上でＸ線画像を取得することで、コンパクトな構成において数万倍以上の拡大倍率を実現可能となる。
【００５２】
また、第１の実施形態によれば、Ｘ線ターゲット部２１２がカンチレバー２１０の探針２１１に埋め込まれる。この結果、試料とＸ線発生源との距離を縮めることが可能となる。また、カンチレバー２１０による測定箇所におけるＸ線画像を簡単に、精度よく取得可能となる。
【００５３】
また、第１の実施形態によれば、カンチレバー２１０の探針２１１がＳｉより軽い元素を含む材料にて形成される。この結果、Ｘ線ターゲット部２１２から発生したＸ線がカンチレバー２１０により吸収される割合を抑えることが可能となり、効率良くＸ線を試料に照射可能となる。
【００５４】
また、第１の実施形態によれば、カンチレバー２１０に有底状の穴を形成する工程と、カンチレバー２１０に設けられた穴に金属を堆積させることでＸ線ターゲット部２１２を形成する工程とを含む。この結果、カンチレバー２１０にＸ線ターゲット部２１２を確実に形成可能となる。
【００５５】
また、第１の実施形態によれば、検査装置１０は、真空チャンバ１００を有する。また、検査装置１０は、真空チャンバ１００内に設けられたカンチレバー２１０を有し、試料台１１０に載置された試料の表面の情報をカンチレバー２１０を用いて取得する原子間力顕微鏡部２００を有する。また、検査装置１０は、電子ビームを放出する電子銃３１０と、Ｘ線ターゲット部と、Ｘ線検出部３３０とを有し、電子銃３１０から電子ビームを照射することで放出されるＸ線を用いて試料台１１０に載置された試料からのＸ線をＸ線検出部３３０が検出するＸ線検査装置部３００を有する。この結果、試料の表面の凹凸などの状態を測定するのに併せて、表面の状態を測定した位置における内部構造に関する情報をＸ線画像を取得することで簡単に取得可能となる。言い換えると、例えば、ＬＳＩ（Large  Scale  Integration）や有機物の同一位置において、３次元の微細構造の観察と、ＡＦＭによる特性観察とを簡単に行うことが可能となる。
【００５６】
また、第１の実施形態によれば、原子間力顕微鏡部２００のカンチレバー２１０は、Ｘ線ターゲット部２１２が埋め込まれており、Ｘ線検査装置部３００では、電子銃３１０からの電子ビームをカンチレバー２１０に埋め込まれたＸ線ターゲット部２１２に照射することでＸ線を試料に照射し、Ｘ線検出部３３０が、試料を透過した後のＸ線を検出する。この結果、Ｘ線ターゲット部２１２を埋め込んだカンチレバー２１０を試料に接触又は近接制御させた上でＸ線画像を取得することで、コンパクトな構成において数万倍以上の拡大倍率を実現可能となる。
【００５７】
また、カンチレバー２１０と試料との距離は一定距離に制御される。この結果、第１の実施形態によれば、Ｘ線ターゲット部２１２と試料との距離も常に一定距離となり、試料の表面部をトレースしながら表面部分の構造体とＸ線源の距離を規定できるため拡大倍率を精度よく決定することができる。
【００５８】
また、第１の実施形態によれば、原子間力顕微鏡部２００は、試料台１１０に載置された試料の表面の情報をカンチレバー２１０を用いて取得し、Ｘ線検査装置部３００が、原子間力顕微鏡部２００によってカンチレバー２１０を用いて試料の表面の情報が取得された後、試料の表面の情報が取得された状態において、電子銃３１０からＸ線ターゲット部へ電子ビームを照射してＸ線を放出させ、試料台１１０に載置された試料からのＸ線をＸ線検出部３３０が検出する。この結果、同一位置において、３次元の微細構造の観察と、ＡＦＭによる特性観察とを簡単に、精度よく行うことが可能となる。
【００５９】
（第２の実施形態）
これまで、第１の実施形態について説明したが、これに限定されるものではなく、種々の実施形態にて実現しても良い。
【００６０】
（制御方法）
例えば、図８に示す例では、原子間力顕微鏡部２００による測定が行われた後に、Ｘ線検査装置部３００による処理が行われる場合を例に説明したが、これに限定されるものではない。例えば、図９に示すように、Ｘ線検査装置部３００による処理が行われた後に、原子間力顕微鏡部２００による測定が行われても良い。図９は、第２の実施形態における検査装置の制御方法の一例について説明するためのフローチャートである。
【００６１】
図９に示す例では、測定タイミングとなると（ステップＳ３０１）、Ｘ線検査装置部３００は、電子銃３１０からＸ線ターゲット部へ電子ビームを照射してＸ線を放出させ、試料台１１０に載置された試料からのＸ線をＸ線検出部３３０が検出する（ステップＳ３０２）。そして、原子間力顕微鏡部２００は、Ｘ線検査装置部３００によってＸ線が検出された後、Ｘ線が検出された状態において、試料台１１０に載置された試料の表面の情報をカンチレバー２１０を用いて取得する（ステップＳ３０３）。例えば、検査装置１０では、原子間力顕微鏡部２００によってカンチレバー２１０を用いてＸ線画像が取得されると、カンチレバー２１０の位置を動かすことなく、原子間力顕微鏡部２００が、Ｘ線画像が取得された位置における試料の表面の情報をカンチレバー２１０を用いて取得する。
【００６２】
（原子間力顕微鏡部）
また、例えば、図７に示す例では、原子間力顕微鏡部２００の全体が真空チャンバ１００内に設けられる場合を例に示したが、これに限定されるものではなく、カンチレバー２１０のみが真空チャンバ１００内に設けられ、他の部分が真空チャンバ１００外に設けられても良い。また、真空チャンバ１００は、大気圧よりも減圧されていればよい。また、検査対象に応じて、大気圧で用いてもよい。
【００６３】
また、例えば、上述した実施形態では、Ｘ線ターゲット部２１２が、原子間力顕微鏡部２００のカンチレバー２１０として設けられる場合を例に説明したが、これに限定されるものではない。例えば、Ｘ線ターゲット部は、任意のプローブに埋め込んでも良い。例えば、ＬＳＩ、プリント基板等の電子回路を電気的に検査するためのプローブに埋め込んでも良い。また、カンチレバーは、接触方式のものでも非接触式のものでもよい。例えば、原子間力顕微鏡用のカンチレバーに限られず、走査型トンネル顕微鏡などの走査型プローブ顕微鏡のカンチレバーに用いることができる。なお、特許請求項の範囲の記載における「カンチレバー」には、プローブが含まれる。また、カンチレバーは、複数設けられていてもよい。また、原子間力顕微鏡部２００、およびＸ線検査装置部３００を互いの検出結果を用いてキャリブレーションを行なっても良い。
【００６４】
（Ｘ線画像）
また、例えば、Ｘ線画像としては、平面画像を取得する場合に限定されるものでなく、試料台を移動させることで、３次元情報を取得しても良い。例えば、ＣＴ（Computed  Tomography）画像を取得しても良い。
【００６５】
（Ｘ線ターゲット部）
また、例えば、Ｘ線ターゲット部２１２は、カンチレバー２１０の先端部に第２の面２１１ｂから埋め込まれる場合に限定されるものでなく、任意の場所に埋め込まれて良い。図１０は、第２の実施形態におけるＸ線ターゲット部の一例について示す図である。図１０に示すように、Ｘ線ターゲット部２１２は、カンチレバー２１０の先端部に第１の面２１１ａから埋め込まれても良い。また、Ｘ線ターゲット部２１２は、カンチレバー２１０に先端部ではなく、任意の場所に埋め込まれても良い。また、Ｘ線ターゲット部２１２は、カンチレバー２１０を貫通して設けられていても良い。また、カンチレバー２１０の表面に形成されていてもよい。
【００６６】
（導電層）
また、例えば、導電層２１３をカンチレバー２１０に設ける場合、カンチレバー２１０の第２の面２１１ｂに設けられる場合に限定されるのではなく、任意の場所に設けられて良い。図１１は、第２の実施形態における導電層の一例について示す図である。図１１に示す例では、導電層２１３は、第２の面２１１ａに設けられる。ただし、この場合、好ましくは、カンチレバー２１０は、Ｘ線ターゲット部２１２からＸ線が照射される照射線２１５上を除く部分に導電層２１３を有する。このように導電層２１３を設けることで、Ｘ線ターゲット部２１２から試料に照射されるＸ線が導電層２１３により減衰されるのを防止することが可能となる。
【００６７】
（Ｘ線走査プローブ顕微鏡）
図１２は、Ｘ線走査プローブとして用いるカンチレバー２３０の一例を示す図である。図１２に示すように、カンチレバー２３０のプローブ先端の資料を挟み込む位置に、Ｘ線を遮蔽できる金属で形成された穴状絞り２３１を設けても用いても良い。
【００６８】
この場合、カンチレバー２３０による走査と同期させながら、Ｘ線を穴状絞り２３１に照射し、試料の下部に設けられたＸ線検出部が、穴状絞り２３１において絞られた後試料を通過したＸ線を検出する。ここで、穴状絞り２３１を通って検出されるＸ線を信号としてＡＦＭと同様の走査画像を構築することで、Ｘ線プローブによるＸ線走査画像を取得することが可能となる。より詳細な一例をあげて説明すると、穴状絞り２３１を透過した全Ｘ線の強度を用いて、１画素の信号とする。例えば、Ａという位置において穴状絞り２３１を透過した全Ｘ線の強度を用いて、Ａという位置に対応する１画素の信号を形成する。そして、カンチレバーと同期して他の位置各々に対応する画素についても信号を形成することで、Ｘ線走査画像を形成する。この結果、高感度な画像を取得可能となる。また、カンチレバー２３０の走査と同期させながら実行することで、ＡＦＭ像を取得するのと併せて、Ｘ線走査画像を取得することが可能となる。また、穴状絞り２３１の穴の直径を拡大率に合わせて設計することで、任意の拡大倍率のＸ線走査画像を取得可能となる。
【００６９】
なお、ここで、穴状絞り２３１に照射されるＸ線は、図１２に示す例では、カンチレバー２３０に設けられたＸ線ターゲット部２１２が設けられておらず、カンチレバー２３０に設けられた穴状絞り２３１にＸ線が照射される場合を例に示したが、これに限定されるものではない。例えば、カンチレバー２３０にＸ線ターゲット部２１２が更に設けられた上で、Ｘ線ターゲット部２１２から放出されたＸ線が穴状絞り２３１に照射され、穴状絞り２３１を通ったＸ線が試料に照射されるようにしても良い。また、図１２に示す例では、穴状絞り２３１を試料台１１０側に面する第１の面２１１ａに設ける場合を例に示したが、これに限定されるものではなく、カンチレバー２３０の内部に埋め込んでも良い。
【符号の説明】
【００７０】
１０        検査装置
１００      真空チャンバ
１１０      試料台
２００      原子間力顕微鏡部
２１０      カンチレバー
２１１      探針
２１１ａ    第１の面
２１１ｂ    第２の面
２１２      Ｘ線ターゲット部
２１３      導電層
３００      Ｘ線検査装置部
３１０      電子銃
３２０      検出器
３３０      Ｘ線検出部
【図１】
2014215038.tif 000003
【図２】
2014215038.tif 000004
【図３】
2014215038.tif 000005
【図４】
2014215038.tif 000006
【図５】
2014215038.tif 000007
【図６】
2014215038.tif 000008
【図７】
2014215038.tif 000009
【図８】
2014215038.tif 000010
【図９】
2014215038.tif 000011
【図１０】
2014215038.tif 000012
【図１１】
2014215038.tif 000013
【図１２】
2014215038.tif 000014